Podtech/llm-jp-corpus-v4-ja_patent huggingface dataset:
【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
特別の条件が成立した場合に、遊技者に有利な特典を付与するか否かを決定可能な特典付与手段と、
前記特典の付与期待度を上昇させることが可能な権利を付与可能な権利付与手段と、を備え、
前記特典付与手段は、前記特典を付与することを決定したときに、前記権利が付与されている場合には、前記権利が付与されていない場合と比べてより有利な前記特典を付与することを決定しやすく、
前記権利付与手段は、前記特典が付与されることが確定している所定期間においても前記権利を付与することが可能であることを特徴とする遊技機。
【請求項２】
前記所定期間において、前記権利が付与されやすい特殊状態へ移行可能であることを特徴とする請求項１に記載の遊技機。
【手続補正２】
【補正対象書類名】明細書
【補正対象項目名】０００５
【補正方法】変更
【補正の内容】
【０００５】
従来の遊技機において、所定の遊技周期（例えば、１００ゲーム）ごとに特典（例えば、ＡＴ）の付与期待度（例えば、特典が付与されるまでの規定ゲーム数の振り分け率）を定めるゲーム数テーブルを用いて状態管理を行うようにしたものが知られている（例えば、特許文献１参照）。
【手続補正３】
【補正対象書類名】明細書
【補正対象項目名】０００６
【補正方法】変更
【補正の内容】
【０００６】
【特許文献１】特開２０１７−０００３５５号公報
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明は、特典の付与期待度に関する変化のバリエーションを多彩なものとし、さらに特典付与の態様についても多彩なものとすることで遊技の興趣を高めることを目的とする。
【手続補正６】
【補正対象書類名】明細書
【補正対象項目名】００１０
【補正方法】変更
【補正の内容】
【００１０】
特別の条件が成立した場合に、遊技者に有利な特典を付与するか否かを決定可能な特典付与手段（例えば、ＡＴ抽籤を行うメインＣＰＵ１０１）と、
前記特典の付与期待度を上昇させることが可能な権利を付与可能な権利付与手段（例えば、上昇権利抽籤を行うメインＣＰＵ１０１）と、を備え、
前記特典付与手段は、前記特典を付与することを決定したときに、前記権利が付与されている場合には、前記権利が付与されていない場合と比べてより有利な前記特典を付与することを決定しやすく、
前記権利付与手段は、前記特典が付与されることが確定している所定期間においても前記権利を付与することが可能であることを特徴とする遊技機。
【手続補正７】
【補正対象書類名】明細書
【補正対象項目名】００１１
【補正方法】変更
【補正の内容】
【００１１】
前記所定期間において、前記権利が付与されやすい特殊状態へ移行可能であることを特徴とする上記に記載の遊技機。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
上記構成の遊技機によれば、特典の付与期待度に関する変化のバリエーションを多彩なものとし、さらに特典付与の態様についても多彩なものとすることで遊技の興趣を高めることができる。
【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
特別の条件が成立した場合に、遊技者に有利な特典を付与するか否かを決定可能な特典付与手段と、
前記特典の付与期待度を上昇させることが可能な権利を付与可能な権利付与手段と、
前記特典付与手段により前記特典を付与するか否かの決定が行われた場合に、前兆期間を設定可能な前兆期間設定手段と、
種々の演出を実行可能な演出実行手段と、を備え、
前記演出実行手段は、
前記権利付与手段により前記権利が付与された場合、前記権利の付与を示唆する付与演出を実行することが可能であり、
前記前兆期間において、態様の異なる複数種類の前兆演出を順次実行することが可能であり、
前記前兆期間において前記付与演出が実行されている場合、複数種類の前記前兆演出のうちいずれかを変化させることが可能であり、
前記前兆演出が特定のタイミングで変化した場合は前記特典が付与される旨が確定することを特徴とする遊技機。
【請求項２】
前記権利付与手段は、前記特典が付与されることが確定している所定期間においても前記権利を付与することが可能であり、
前記権利を保持した状況で前記特典が付与される場合は、前記権利を保持していない状況で前記特典が付与される場合に比べて有利度合いの高い前記特典が付与されやすいことを特徴とする請求項１に記載の遊技機。
【手続補正２】
【補正対象書類名】明細書
【補正対象項目名】０００５
【補正方法】変更
【補正の内容】
【０００５】
従来の遊技機において、所定の遊技周期（例えば、１００ゲーム）ごとに特典（例えば、ＡＴ）の付与期待度（例えば、特典が付与されるまでの規定ゲーム数の振り分け率）を定めるゲーム数テーブルを用いて状態管理を行うようにしたものが知られている（例えば、特許文献１参照）。
【手続補正３】
【補正対象書類名】明細書
【補正対象項目名】０００６
【補正方法】変更
【補正の内容】
【０００６】
【特許文献１】特開２０１７−０００３５５号公報
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明は、特典の付与期待度に関する変化のバリエーションを多彩なものとし、さらに特典付与の態様についても多彩なものとすることで遊技の興趣を高めることを目的とする。
【手続補正６】
【補正対象書類名】明細書
【補正対象項目名】００１０
【補正方法】変更
【補正の内容】
【００１０】
特別の条件が成立した場合に、遊技者に有利な特典を付与するか否かを決定可能な特典付与手段（例えば、ＡＴ抽籤を行うメインＣＰＵ１０１）と、
前記特典の付与期待度を上昇させることが可能な権利を付与可能な権利付与手段（例えば、上昇権利抽籤を行うメインＣＰＵ１０１）と、
前記特典付与手段により前記特典を付与するか否かの決定が行われた場合に、前兆期間を設定可能な前兆期間設定手段（例えば、前兆遊技数の設定を行うメインＣＰＵ１０１）と、
種々の演出を実行可能な演出実行手段（例えば、表示装置１１）と、を備え、
前記演出実行手段は、
前記権利付与手段により前記権利が付与された場合、前記権利の付与を示唆する付与演出を実行することが可能であり、
前記前兆期間において、態様の異なる複数種類の前兆演出を順次実行することが可能であり、
前記前兆期間において前記付与演出が実行されている場合、複数種類の前記前兆演出のうちいずれかを変化させることが可能であり、
前記前兆演出が特定のタイミングで変化した場合は前記特典が付与される旨が確定することを特徴とする遊技機。
【手続補正７】
【補正対象書類名】明細書
【補正対象項目名】００１１
【補正方法】変更
【補正の内容】
【００１１】
前記権利付与手段は、前記特典が付与されることが確定している所定期間においても前記権利を付与することが可能であり、
前記権利を保持した状況で前記特典が付与される場合は、前記権利を保持していない状況で前記特典が付与される場合に比べて有利度合いの高い前記特典が付与されやすいことを特徴とする上記に記載の遊技機。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
上記構成の遊技機によれば、特典の付与期待度に関する変化のバリエーションを多彩なものとし、さらに特典付与の態様についても多彩なものとすることで遊技の興趣を高めることができる。
【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
複数の役の中から当籤役を決定可能な役決定手段と、
遊技者に有利な特典を付与可能な特典付与手段と、
前記特典の付与期待度を上昇させることが可能な上昇権利を付与可能な上昇権利付与手段と、
前記上昇権利の付与期待度に関する状態を制御可能な状態制御手段と、を備え、
前記状態制御手段により制御可能な状態として、所定確率で前記上昇権利を付与可能な第１状態と、該第１状態よりも前記上昇権利が付与されにくい第２状態と、を少なくとも有し、
前記上昇権利付与手段は、前記第１状態において前記役決定手段により決定された当籤役に応じて前記上昇権利を付与可能であることを特徴とする遊技機。
【請求項２】
前記第１状態へ特定確率で移行する高確率状態と、該高確率状態よりも前記第１状態へ移行しにくい低確率状態と、をさらに有することを特徴とする請求項１に記載の遊技機。
【手続補正２】
【補正対象書類名】明細書
【補正対象項目名】０００５
【補正方法】変更
【補正の内容】
【０００５】
従来の遊技機において、所定の遊技周期（例えば、１００ゲーム）ごとに特典（例えば、ＡＴ）の付与期待度（例えば、特典が付与されるまでの規定ゲーム数の振り分け率）を定めるゲーム数テーブルを用いて状態管理を行うようにしたものが知られている（例えば、特許文献１参照）。
【手続補正３】
【補正対象書類名】明細書
【補正対象項目名】０００６
【補正方法】変更
【補正の内容】
【０００６】
【特許文献１】特開２０１７−０００３５５号公報
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明は、特典の付与期待度に関する変化のバリエーションを多彩なものとし、さらに特典付与の態様についても多彩なものとすることで遊技の興趣を高めることを目的とする。
【手続補正６】
【補正対象書類名】明細書
【補正対象項目名】００１０
【補正方法】変更
【補正の内容】
【００１０】
複数の役の中から当籤役を決定可能な役決定手段（例えば、内部抽籤処理を行うメインＣＰＵ１０１）と、
遊技者に有利な特典を付与可能な特典付与手段（例えば、ＡＴ抽籤を行うメインＣＰＵ１０１）と、
前記特典の付与期待度を上昇させることが可能な上昇権利を付与可能な上昇権利付与手段（例えば、上昇権利抽籤を行うメインＣＰＵ１０１）と、
前記上昇権利の付与期待度に関する状態を制御可能な状態制御手段と、を備え、
前記状態制御手段により制御可能な状態として、所定確率で前記上昇権利を付与可能な第１状態と、該第１状態よりも前記上昇権利が付与されにくい第２状態と、を少なくとも有し、
前記上昇権利付与手段は、前記第１状態において前記役決定手段により決定された当籤役に応じて前記上昇権利を付与可能であることを特徴とする遊技機。
【手続補正７】
【補正対象書類名】明細書
【補正対象項目名】００１１
【補正方法】変更
【補正の内容】
【００１１】
前記第１状態へ特定確率で移行する高確率状態と、該高確率状態よりも前記第１状態へ移行しにくい低確率状態と、をさらに有することを特徴とする上記に記載の遊技機。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
上記構成の遊技機によれば、特典の付与期待度に関する変化のバリエーションを多彩なものとし、さらに特典付与の態様についても多彩なものとすることで遊技の興趣を高めることができる。
【手続補正書】
【提出日】令和3年7月26日(2021.7.26)
【手続補正１】
【補正対象書類名】明細書
【補正対象項目名】００４１
【補正方法】変更
【補正の内容】
【００４１】
一方、第２手術用具のみが検出された場合、表示制御部２３は、第２手術用具の領域を強調して放射線画像Ｇ０を表示部６に表示する。図６は第２手術用具の領域を強調した放射線画像の表示画面を示す図である。図６に示すように、表示画面６０には放射線画像Ｇ０が表示されており、放射線画像Ｇ０においては、第２手術用具であるステントの領域６１が検出されている。そして、ステントの領域６１が枠６２に囲まれることにより、領域６１が強調されている。
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
着座者を背側から支持するシートバックを備える車両用シートであって、
前記着座者を支持する樹脂支持部材と、
前記シートバックのうち、前記着座者の肩を支持する肩支持部が、流体が封入されることにより膨出する袋体と、を有し、
前記袋体は、シート正面視左側に配置される左袋体と、シート正面視右側に配置される右袋体と、を含む左右袋体であって、
前記左右袋体は、前記樹脂支持部材のうち、上方に延出し、上端から下方に向かって形成された切り欠きによってシート左右方向に分離された部分にそれぞれ当接して、前記着座者の肩を支持するように配置されていることを特徴とする車両用シート。
【請求項２】
前記左右袋体の各々は、上端部が水平方向に対して斜めに傾いて配置されていることを特徴とする請求項１に記載の車両用シート。
【請求項３】
前記樹脂支持部材のシート幅方向における外側には、側方エアセルが左右別個に設けられていることを特徴とする請求項１又は２に記載の車両用シート。
【請求項４】
前記樹脂支持部材は、シート幅方向における外側かつ上方に向かって延出した側部延出部を有し、
前記側方エアセルは、前記側部延出部の下側に配置されていることを特徴とする請求項３に記載の車両用シート。
【請求項５】
前記側方エアセルは、シート幅方向における内側の上部及び下部に突出部を有し、前記突出部の間に凹部が形成されていることを特徴とする請求項３又は４に記載の車両用シート。
【請求項６】
前記シートバックは、側部に配設される側部フレームを含むシートバックフレームを有し、
前記側方エアセルは、前記側部フレームに取り付けられていることを特徴とする請求項３乃至５のいずれか一項に記載の車両用シート。
【請求項７】
前記着座者の状態を計測するためのセンサを備え、
前記袋体及び前記側方エアセルの固定位置は、前記センサを避けた位置にあることを特徴とする請求項３乃至６のいずれか一項に記載の車両用シート。
【請求項８】
前記左右袋体の各々は、被固定部において、前記樹脂支持部材に支持され、
前記被固定部は、シート幅方向において内側に設けられた内側被固定部と、前記内側被固定部よりもシート幅方向において外側に設けられた外側被固定部と、を含み、
前記樹脂支持部材は、結合ワイヤによって前記シートバックのシートバックフレームに取り付けられ、
前記左右袋体の各々の前記内側被固定部は、前記結合ワイヤの前記シートバックフレームへの取付位置よりも、シート上下方向で下方に位置することを特徴とする請求項１乃至５のいずれか一項に記載の車両用シート。
【請求項９】
前記左右袋体の各々は、前記内側被固定部と前記外側被固定部との間に凹み部を備えた
ことを特徴とする請求項８に記載の車両用シート。
【手続補正２】
【補正対象書類名】明細書
【補正対象項目名】０００９
【補正方法】変更
【補正の内容】
【０００９】
前記課題は、本発明の車両用シートによれば、着座者を背側から支持するシートバックを備える車両用シートであって、前記着座者を支持する樹脂支持部材と、前記シートバックのうち、前記着座者の肩を支持する肩支持部が、流体が封入されることにより膨出する袋体と、を有し、前記袋体は、シート正面視左側に配置される左袋体と、シート正面視右側に配置される右袋体と、を含む左右袋体であって、前記左右袋体は、前記樹脂支持部材のうち、上方に延出し、上端から下方に向かって形成された切り欠きによってシート左右方向に分離された部分にそれぞれ当接して、前記着座者の肩を支持するように配置されていることにより解決される。
【手続補正３】
【補正対象書類名】明細書
【補正対象項目名】００１０
【補正方法】変更
【補正の内容】
【００１０】
上記の車両用シートによれば、左右袋体が、樹脂支持部材のうち上方に延出し上端から下方に向かって形成された切り欠きによってシート左右方向に分離された部分に当接して着座者の肩を支持するように配置されているので、着座者の肩を適切に押さえるのに好適な位置に袋体を配置することができる。
【手続補正４】
【補正対象書類名】明細書
【補正対象項目名】００１１
【補正方法】変更
【補正の内容】
【００１１】
また、上記の車両用シートにおいて、前記左右袋体の各々は、上端部が水平方向に対して斜めに傾いて配置されていると好適である。
【手続補正５】
【補正対象書類名】明細書
【補正対象項目名】００１２
【補正方法】変更
【補正の内容】
【００１２】
また、上記の車両用シートにおいて、前記樹脂支持部材のシート幅方向における外側には、側方エアセルが左右別個に設けられていると好適である。
【手続補正６】
【補正対象書類名】明細書
【補正対象項目名】００１３
【補正方法】変更
【補正の内容】
【００１３】
また、上記の車両用シートにおいて、前記樹脂支持部材は、シート幅方向における外側かつ上方に向かって延出した側部延出部を有し、前記側方エアセルは、前記側部延出部の下側に配置されていると好適である。
【手続補正７】
【補正対象書類名】明細書
【補正対象項目名】００１４
【補正方法】変更
【補正の内容】
【００１４】
また、上記の車両用シートにおいて、前記側方エアセルは、シート幅方向における内側の上部及び下部に突出部を有し、前記突出部の間に凹部が形成されていると好適である。
【手続補正８】
【補正対象書類名】明細書
【補正対象項目名】００１５
【補正方法】変更
【補正の内容】
【００１５】
また、上記の車両用シートにおいて、前記シートバックは、側部に配設される側部フレームを含むシートバックフレームを有し、前記側方エアセルは、前記側部フレームに取り付けられていると好適である。
【手続補正９】
【補正対象書類名】明細書
【補正対象項目名】００１６
【補正方法】変更
【補正の内容】
【００１６】
また、上記の車両用シートにおいて、前記着座者の状態を計測するためのセンサを備え、前記袋体及び前記側方エアセルの固定位置は、前記センサを避けた位置にあると好適である。
【手続補正１０】
【補正対象書類名】明細書
【補正対象項目名】００１７
【補正方法】変更
【補正の内容】
【００１７】
また、上記の車両用シートにおいて、前記左右袋体の各々は、被固定部において、前記樹脂支持部材に支持され、前記被固定部は、シート幅方向において内側に設けられた内側被固定部と、前記内側被固定部よりもシート幅方向において外側に設けられた外側被固定部と、を含み、前記樹脂支持部材は、結合ワイヤによって前記シートバックのシートバックフレームに取り付けられ、前記左右袋体の各々の前記内側被固定部は、前記結合ワイヤの前記シートバックフレームへの取付位置よりも、シート上下方向で下方に位置すると好適である。
【手続補正１１】
【補正対象書類名】明細書
【補正対象項目名】００１８
【補正方法】変更
【補正の内容】
【００１８】
また、上記の車両用シートにおいて、前記左右袋体の各々は、前記内側被固定部と前記外側被固定部との間に凹み部を備えていると好適である。
【手続補正１２】
【補正対象書類名】明細書
【補正対象項目名】００１９
【補正方法】削除
【補正の内容】
【手続補正書】
【提出日】令和3年9月1日(2021.9.1)
【手続補正１】
【補正対象書類名】特許請求の範囲
【補正対象項目名】全文
【補正方法】変更
【補正の内容】
【特許請求の範囲】
【請求項１】
光透過部材を介して提供情報画像を移動体進行方向前方の所定の表示エリアに表示させるように、該光透過部材へ画像光を投射する画像光投射手段を備えた情報提供装置であって、
通常提供情報画像が表示される箇所は、前記所定の表示エリア内における上下方向に区分された２つの表示領域のそれぞれを含み、
所定の優先提供情報表示条件に従って、前記２つの表示領域にまたがって、前記通常提供情報画像に代えて、該通常提供情報画像に係る通常の提供情報よりも情報提供が優先される優先提供情報を示す優先提供情報画像を表示させるように、前記画像光投射手段を制御する表示制御手段を有し、
前記優先提供情報画像は、前記２つの表示領域のうちの上側の表示領域に表示されていた先行移動体を示す先行移動体画像と、前記２つの表示領域のうちの下側の表示領域に表示されていた所定画像とを組み合わせた画像であり、
前記所定画像は、前記下側の表示領域に表示されているときは、上下方向に４つに区分されていて、かつ、前記先行移動体との距離が狭まるにつれて高輝度な区分が前記先行移動体画像へ近づくように上方へ移動するものであることを特徴とする情報提供装置。
【請求項２】
請求項１に記載の情報提供装置において、
前記表示制御手段は、指示画像を表示し、
前記指示画像は、予め設定された目的地までの移動ルートを案内するルートナビゲーション情報を示すルートナビゲーション画像であることを特徴とする情報提供装置。
【請求項３】
請求項１又は２に記載の情報提供装置において、
前記画像光投射手段は、投射する画像光によって前記通常提供情報画像及び前記優先提供情報画像を虚像として前記所定の表示エリア内に表示させるものであることを特徴とする情報提供装置。
【請求項４】
請求項１乃至３のいずれか１項に記載の情報提供装置において、
前記画像光投射手段は、画像光を照射する光照射手段から照射した画像光を光走査手段により二次元走査して前記光透過部材へ投射することにより、前記所定の表示エリア内に前記通常提供情報画像及び前記優先提供情報画像を表示させるものであることを特徴とする情報提供装置。
【請求項５】
光透過部材を介して提供情報画像を移動体進行方向前方の所定の表示エリアに表示させるように、該光透過部材へ画像光を投射することにより、提供情報画像が示す提供情報を運転者へ提供する情報提供方法であって、
通常提供情報画像が表示される箇所は、前記所定の表示エリア内における上下方向に区分された２つの表示領域のそれぞれを含み、
所定の優先提供情報表示条件に従って、前記２つの表示領域にまたがって、前記通常提供情報画像に代えて、該通常提供情報画像に係る通常の提供情報よりも情報提供が優先される優先提供情報を示す優先提供情報画像を表示させる優先提供情報画像表示工程を有し、
前記優先提供情報画像は、前記２つの表示領域のうちの上側の表示領域に表示されていた先行移動体を示す先行移動体画像と、前記２つの表示領域のうちの下側の表示領域に表示されていた所定画像とを組み合わせた画像であり、
前記所定画像は、前記下側の表示領域に表示されているときは、上下方向に４つに区分されていて、かつ、前記先行移動体との距離が狭まるにつれて高輝度な区分が前記先行移動体画像へ近づくように上方へ移動するものであることを特徴とする情報提供方法。
【請求項６】
光透過部材を介して提供情報画像を移動体進行方向前方の所定の表示エリアに表示させるように、該光透過部材へ画像光を投射する画像光投射手段を備えた情報提供装置のコンピュータを機能させるための情報提供用制御プログラムであって、
通常提供情報画像が表示される箇所は、前記所定の表示エリア内における上下方向に区分された２つの表示領域のそれぞれを含み、
所定の優先提供情報表示条件に従って、前記２つの表示領域にまたがって、前記通常提供情報画像に代えて、該通常提供情報画像に係る通常の提供情報よりも情報提供が優先される優先提供情報を示す優先提供情報画像を表示させるように、前記画像光投射手段を制御する表示制御手段として、前記コンピュータを機能させるものであり、
前記優先提供情報画像は、前記２つの表示領域のうちの上側の表示領域に表示されていた先行移動体を示す先行移動体画像と、前記２つの表示領域のうちの下側の表示領域に表示されていた所定画像とを組み合わせた画像であり、
前記所定画像は、前記下側の表示領域に表示されているときは、上下方向に４つに区分されていて、かつ、前記先行移動体との距離が狭まるにつれて高輝度な区分が前記先行移動体画像へ近づくように上方へ移動するものであることを特徴とする情報提供用制御プログラム。
【手続補正２】
【補正対象書類名】明細書
【補正対象項目名】０００６
【補正方法】変更
【補正の内容】
【０００６】
上述した課題を解決するために、本発明は、光透過部材を介して提供情報画像を移動体進行方向前方の所定の表示エリアに表示させるように、該光透過部材へ画像光を投射する画像光投射手段を備えた情報提供装置であって、通常提供情報画像が表示される箇所は、前記所定の表示エリア内における上下方向に区分された２つの表示領域のそれぞれを含み、所定の優先提供情報表示条件に従って、前記２つの表示領域にまたがって、前記通常提供情報画像に代えて、該通常提供情報画像に係る通常の提供情報よりも情報提供が優先される優先提供情報を示す優先提供情報画像を表示させるように、前記画像光投射手段を制御する表示制御手段を有し、前記優先提供情報画像は、前記２つの表示領域のうちの上側の表示領域に表示されていた先行移動体を示す先行移動体画像と、前記２つの表示領域のうちの下側の表示領域に表示されていた所定画像とを組み合わせた画像であり、前記所定画像は、前記下側の表示領域に表示されているときは、上下方向に４つに区分されていて、かつ、前記先行移動体との距離が狭まるにつれて高輝度な区分が前記先行移動体画像へ近づくように上方へ移動するものであることを特徴とする。
【手続補正書】
【提出日】令和3年2月19日(2021.2.19)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
第１の発光素子、第２の発光素子、及び第３の発光素子を有し、
前記第１の発光素子、前記第２の発光素子、及び前記第３の発光素子は、それぞれ、一対の電極と、前記一対の電極間の発光層と、を有し、
前記一対の電極の一方は、反射電極を有し、
前記一対の電極の他方は、半透過・半反射電極を有し、
前記第１の発光素子、前記第２の発光素子、及び前記第３の発光素子が有する前記発光層は、それぞれ異なる層であり、
前記第１の発光素子の発光スペクトルの第１のピーク波長は、４００ｎｍ以上４８０ｎｍ以下であり、
前記第２の発光素子の発光スペクトルの第２のピーク波長は、５８０ｎｍ以上７００ｎｍ以下であり、
前記第３の発光素子の発光スペクトルの第３のピーク波長は、前記第１のピーク波長と前記第２のピーク波長の間の波長であり、
前記第１の発光素子が有する前記一対の電極間の距離は、前記第２の発光素子が有する前記一対の電極間の距離よりも長く、
前記第２の発光素子が有する前記一対の電極間の距離は、前記第３の発光素子が有する前記一対の電極間の距離よりも長い、表示装置。
【請求項２】
請求項１において、
前記第１の発光素子が有する前記一対の電極間の距離と、前記第２の発光素子が有する前記一対の電極間の距離との差は、４０ｎｍ以上９０ｎｍ以下である、表示装置。
【請求項３】
請求項１または２において、
前記第１の発光素子、前記第２の発光素子、及び前記第３の発光素子は、それぞれ、前記一対の電極間に、正孔輸送層を有し、
前記第１の発光素子が有する前記正孔輸送層は、前記第２の発光素子が有する前記正孔輸送層よりも厚く、
前記第１の発光素子が有する前記正孔輸送層は、前記第３の発光素子が有する前記正孔輸送層よりも厚い、表示装置。
【請求項４】
請求項１または２において、
前記第１の発光素子、前記第２の発光素子、及び前記第３の発光素子は、それぞれ、前記反射電極と前記発光層との間に、透明電極を有し、
前記第１の発光素子が有する前記透明電極は、前記第２の発光素子が有する前記透明電極よりも厚く、
前記第１の発光素子が有する前記透明電極は、前記第３の発光素子が有する前記透明電極よりも厚い、表示装置。
【請求項５】
請求項４において、
前記第１の発光素子、前記第２の発光素子、及び前記第３の発光素子は、それぞれ、前記透明電極と前記発光層との間に、正孔注入層及び正孔輸送層を有し、
前記第１の発光素子、前記第２の発光素子、及び前記第３の発光素子が有する前記正孔注入層は、共通の層であり、
前記第１の発光素子、前記第２の発光素子、及び前記第３の発光素子が有する前記正孔輸送層は、共通の層である、表示装置。
【請求項６】
請求項１乃至５のいずれか一において、
前記第１の発光素子、前記第２の発光素子、及び前記第３の発光素子は、それぞれ、前記一対の電極間に、電子輸送層を有し、
前記第１の発光素子、前記第２の発光素子、及び前記第３の発光素子が有する前記電子輸送層は、共通の層である、表示装置。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
第１の表示装置と第２の表示装置とが所定距離内にある場合に、前記第２の表示装置に表示されている画像が前記第１の表示装置に表示されるよう制御する制御手段
を備えることを特徴とする情報処理装置。
【請求項２】
前記制御手段は、前記第１の表示装置の仮想空間上の視点位置を前記第２の表示装置の視点位置に移動させることで、前記第２の表示装置において表示されている画像が、前記第１の表示装置に表示されるよう制御することを特徴とする請求項１に記載の情報処理装置。
【請求項３】
前記制御手段は、仮想空間上において、水平方向と垂直方向のうち、少なくとの水平方向における前記第１の表示装置の視点位置を、前記第２の表示装置の視点位置に移動させることを特徴とする請求項２に記載の情報処理装置。
【請求項４】
前記第１の表示装置および前記第２の表示装置は、自機の仮想空間上の視点位置に基づいて取得された当該仮想空間の画像を表示する装置であることを特徴とする請求項１乃至３のいずれか１項に記載の情報処理装置。
【請求項５】
前記第１の表示装置と第２の表示装置とが所定距離内にある場合とは、前記第１の表示措置の仮想空間上の視点位置と前記第２の仮想空間上の視点位置とが所定距離内である場合であることを特徴とする請求項１乃至４のいずれか１項に記載の情報処理装置。
【請求項６】
前記制御手段は、前記第１の表示装置と前記第２の表示装置とが所定距離内にある場合であって、前記第２の表示装置に表示されている画像が前記第１の表示装置に表示されるための操作を受け付けた場合に、前記第２の表示装置に表示されている画像が前記第１の表示装置に表示されるよう制御することを特徴とする請求項１乃至５のいずれか１項に記載の情報処理装置。
【請求項７】
前記制御手段は、前記第２の表示装置が前記第１の表示装置の視野に入っている場合に、前記第２の表示装置に表示されている画像が、前記第１の表示装置に表示されるよう制御することを特徴とする請求項１乃至５のいずれか１項に記載の情報処理装置。
【請求項８】
情報処理装置において、
制御手段が、第１の表示装置と第２の表示装置とが所定距離内にある場合に、前記第２の表示装置に表示されている画像が前記第１の表示装置に表示されるよう制御する制御工程
を含むことを特徴とする制御方法。
【請求項９】
情報処理装置を、
第１の表示装置と第２の表示装置とが所定距離内にある場合に、前記第２の表示装置に表示されている画像が前記第１の表示装置に表示されるよう制御する制御手段として機能させるためのプログラム。
【請求項１０】
第１の表示装置と、第２の表示装置と、を含む情報処理システムであって、
第１の表示装置と第２の表示装置とが所定距離内にある場合に、前記第２の表示装置に表示されている画像が前記第１の表示装置に表示されるよう制御する制御手段
を備えることを特徴とする情報処理システム。
【請求項１１】
第１の表示装置と、第２の表示装置と、を含む情報処理システムの制御方法であって、
制御手段が、第１の表示装置と第２の表示装置とが所定距離内にある場合に、前記第２の表示装置に表示されている画像が前記第１の表示装置に表示されるよう制御する制御工程
を含むことを特徴とする制御方法。
【請求項１２】
第１の表示装置と、第２の表示装置と、を含む情報処理システムを、
第１の表示装置と第２の表示装置とが所定距離内にある場合に、前記第２の表示装置に表示されている画像が前記第１の表示装置に表示されるよう制御する制御手段として機能させるためのプログラム。
【手続補正２】
【補正対象書類名】明細書
【補正対象項目名】００１１
【補正方法】変更
【補正の内容】
【００１１】
本発明は、視点位置を容易に移動可能とする仕組みを提供することを目的とする。
【手続補正３】
【補正対象書類名】明細書
【補正対象項目名】００１３
【補正方法】変更
【補正の内容】
【００１３】
本発明によれば、視点位置を容易に移動可能とする仕組みを提供することが可能になる。
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
構造（２０６）に対するアセンブリ（２０４）の状態の自動化された検証（２０２）を実施するための進路（３０４）を確立する方法であって、
自動誘導ビークル（２２２）に接続されたセンサ・システム（２１０）を前記構造（２０６）と相対的な複数のテスト位置（３０８）に移動するステップ（１００２）と、
前記センサ・システム（２１０）を用いて前記複数のテスト位置（３０８）の各テスト位置で画像データを生成して複数のテスト画像（３１０）を構築するステップ（１００４）と、
前記複数のテスト画像（３１０）の各テスト画像を前記構造（２０６）のコンピュータ・モデル（２３６）に登録して、登録画像（３１４）の集合に追加される複数の登録画像（３１２）を形成するステップ（１００６）と、
関心のある前記構造（２０６）の領域の全体を、最小数の登録画像を用いて、登録画像（３１４）の前記集合からキャプチャできるようにする位置（３１８）の最適集合を前記複数のテスト位置（３０８）から決定するステップ（１００８）と、
前記自動誘導ビークル（２２２）を位置（３１８）の前記最適集合の各々に最小時間で移動するための前記進路（３０４）を生成するステップ（１０１０）と、
自動検証プロセス（２０２）を実施する際に使用するためのコンピュータ・ファイル（３２０）を生成して、前記構造（２０６）に対する前記アセンブリ（２０４）の状態を検証するステップであって、前記コンピュータ・ファイル（３２０）が前記構造（２０６）における前記進路（３０４）を識別する、ステップ（１０１２）と、
を含む、方法。
【請求項２】
前記センサ・システム（２１０）を移動するステップ（１００２）は、
前記自動誘導ビークル（２２２）を直線経路に沿って移動して、前記センサ・システム（２１０）が前記複数のテスト位置（３０８）に移動できるようにするステップ
を含む、請求項１に記載の方法。
【請求項３】
前記センサ・システム（２１０）を移動するステップ（１００２）は
前記自動誘導ビークル（２２２）を前記構造（２０６）と相対的な予め決定されたテスト進路（３０４）に沿って移動して、前記センサ・システム（２１０）が前記複数のテスト位置（３０８）に移動できるようにするステップ
を含む、請求項１に記載の方法。
【請求項４】
各テスト位置で前記画像データを生成すること（１００４）は、
前記センサ・システム（２１０）がテスト位置（３０８）に移動されたとき、テスト画像を生成するステップであって、前記テスト位置（３０８）は基準座標系と相対的なテスト位置およびテスト方位を含む、ステップ
を含む、請求項１に記載の方法。
【請求項５】
位置（３１８）の前記最適集合を前記複数のテスト位置（３０８）から決定するステップ（１００８）は、
関心がある前記構造（２０６）の前記領域の全体をキャプチャして最終画像セットを形成できるようにする前記最小数の登録画像を登録画像（３１４）の前記集合から選択するステップ（１１０２）と、
前記最終画像セット内の各登録画像に対応するテスト位置（３０８）を識別して、位置（３１８）の前記最適集合を形成するステップ（１１０４）と、
を含む、請求項１に記載の方法。
【請求項６】
各登録画像に対応する前記テスト位置（３０８）を識別すること（１１０４）は、
前記最終画像セット内の登録画像に対応する前記センサ・システム（２１０）に対するテスト位置およびテスト方位を識別するステップ
を含む、請求項５に記載の方法。
【請求項７】
前記センサ・システム（２１０）を移動するステップ（１００２）は、
前記センサ・システム（２１０）を前記構造（２０６）と相対的な１００から１００，０００個のテスト位置に移動するステップであって、各テスト位置は基準座標系と相対的なテスト位置およびテスト方位を含む、ステップ
を含む、請求項１に記載の方法。
【請求項８】
前記自動誘導ビークル（２２２）に接続された前記センサ・システム（２１０）を位置（３１８）の前記最適集合に前記コンピュータ・ファイル（３２０）内で識別された前記進路（３０４）に沿って移動して、前記自動検証プロセス（２０２）を実施するステップをさらに含む、請求項１に記載の方法。
【請求項９】
前記構造（２０６）と同一の設計仕様にマッチする複数の構造（２０６）に対する前記自動検証プロセス（２０２）を実施する際に使用するための前記コンピュータ・ファイル（３２０）を格納するステップ（１０１４）をさらに含む、請求項１に記載の方法。
【請求項１０】
構造（２０６）と相対的な複数のテスト位置（３０８）で前記複数のテスト画像（３１０）を生成したセンサ・システム（２１０）から、複数のテスト画像（３１０）を受信し、生成された前記複数のテスト画像（３１０）の各テスト画像を前記構造（２０６）のコンピュータ・モデル（２３６）に登録する登録コンポーネント（３０３）と、
最小数のテスト画像を用いて、関心のある前記構造（２０６）の領域の全体をキャプチャできるようにする位置（３１８）の最適集合を前記複数のテスト位置（３０８）から決定し、自動誘導ビークル（２２２）を位置（３１８）の前記最適集合の各々に最小時間で移動するための進路（３０４）を生成し、前記構造（２０６）に対するアセンブリ（２０４）の状態の自動化された検証（２０２）を実施する際に使用するためのファイルを生成する最適化コンポーネントであって、前記ファイルが前記構造（２０６）における前記進路（３０４）を識別する、最適化コンポーネント（３０５）と、
を含むプロセッサ（３０２）を備えた、装置。
【請求項１１】
前記センサ・システム（２１０）をさらに含み、前記センサ・システム（２１０）は前記センサ・システム（２１０）を前記構造（２０６）と相対的な前記複数のテスト位置（３０８）に移動するように構成された自動誘導ビークル（２２２）に接続された、請求項１０に記載の装置。
【請求項１２】
前記構造（２０６）は機体構造（２０６）であり、前記複数のテスト画像（３１０）内のテスト画像は前記機体構造（２０６）内の複数の穴または前記機体構造（２０６）内の複数の穴に取り付けられた複数のファスナのうち少なくとも１つをキャプチャする、請求項１０に記載の装置。
【請求項１３】
前記複数のテスト画像（３１０）は１００から１００，０００のテスト画像を含む、請求項１０に記載の装置。
【請求項１４】
テスト位置（３０８）で生成された前記複数のテスト画像（３１０）内のテスト画像は、基準座標系に関して前記センサ・システム（２１０）に対する特定のテスト位置および特定のテスト方位に対応する、請求項１０に記載の装置。
【誤訳訂正書】
【提出日】令和3年6月22日(2021.6.22)
【誤訳訂正１】
【訂正対象書類名】特許請求の範囲
【訂正対象項目名】全文
【訂正方法】変更
【訂正の内容】
【特許請求の範囲】
【請求項１】
システムであって、
ロボット（１００）であって、
材料（１２２）のトウをレイアップするエンドエフェクタ（１２０）と、
前記エンドエフェクタを再配置するアクチュエータ（１４２、１４４、１４６）と、
数値制御（ＮＣ）プログラム（８３７）を記憶するメモリ（８３６）と、
前記ＮＣプログラムに基づいて前記エンドエフェクタを再配置するように前記アクチュエータに指示し、前記ＮＣプログラムに基づいてトウをレイアップするように前記エンドエフェクタに指示するロボットコントローラ（１２４）と
を備えるロボット（１００）と、
センサシステム（２００）であって、
前記エンドエフェクタによって前記トウがレイアップされるときに、前記トウの画像（８７７）を取得する撮像装置（２１０）と、
前記エンドエフェクタによってトウがレイアップされるときに、入力を生成する測定装置（２２０）と、
前記撮像装置から画像を受信し、前記測定装置から前記入力を受信して、閾値より長い平均期間だけ時間的に隔たりのある前記入力の連続的なパルス信号のセットを識別することによって、休止を検出し、前記検出された休止に基づいて前記画像と前記ＮＣプログラムの指示とを相関させるために、記憶されたデータを更新するセンサコントローラ（２３０）と
を備えるセンサシステム（２００）と
を備えるシステム。
【請求項２】
前記センサコントローラは、前記ロボットコントローラから新たなトウの開始を示す信号（図６、「新たなトウ信号」）を受信し、前記信号の前に発生した、トウのレイアップの休止（図６、「休止」）を検出するために、前記測定装置からの入力を精査し、前記休止に基づいて前記ＮＣプログラムに示されるトウがレイアップされた期間を決定し、前記期間に取得された画像と前記ＮＣプログラムの指示とを相関させるために、記憶されたデータを更新する
請求項１に記載のシステム。
【請求項３】
前記測定装置は、前記エンドエフェクタ（Ｐ１）によって所定の長さのトウが分配される度に、前記センサコントローラへ供給されるパルス信号として前記入力を生成する、
請求項２に記載のシステム。
【請求項４】
前記センサコントローラは、閾値より長い期間だけ時間的に隔たりのある２つの連続的なパルス信号を識別することによって、前記休止を検出する、
請求項３に記載のシステム。
【請求項５】
前記エンドエフェクタは、複数のトウを同時にレイアップする、
請求項１に記載のシステム。
【請求項６】
前記測定装置は、前記エンドエフェクタがトウをレイアップするときに回転する車輪を備える、
請求項１に記載のシステム。
【請求項７】
前記ＮＣプログラムで定義されたトウを選択するユーザ入力を受信したことに応じて、前記センサコントローラは、前記ＮＣプログラムの指示と相関させた各画像を表示する、
請求項１に記載のシステム。
【請求項８】
数値制御（ＮＣ）プログラムに基づいて、材料のトウをレイアップするようにロボットのエンドエフェクタに指示すること（５０４）と、
前記エンドエフェクタによって前記トウがレイアップされるときに、前記トウの画像を取得すること（５０６）と、
前記エンドエフェクタによってトウがレイアップされるときに、測定装置から入力を受信すること（５０８）と、
閾値より長い平均期間だけ時間的に隔たりのある前記入力の連続的なパルス信号のセットを識別することによって、休止を検出することと、
前記検出された休止に基づいて、前記画像と前記ＮＣプログラムの指示とを相関させるために、記憶されたデータを更新すること（５１６）と
を含む方法。
【請求項９】
新たなトウの開始を示す信号を受信すること（５１０）と、
トウのレイアップにおいて前記信号の前に発生した休止を検出するために、前記測定装置からの前記入力を精査すること（５１２）と、
前記休止に基づいて、前記ＮＣプログラムに示されるトウがレイアップされた期間を決定すること（５１４）と、
前記期間に取得された画像と前記ＮＣプログラムの指示とを相関させるために、記憶されたデータを更新すること（５１６）と
を更に含む、請求項８に記載の方法。
【請求項１０】
前記入力は、前記エンドエフェクタによって所定の長さのトウが分配される度に生成されるパルス信号を含む、
請求項９に記載の方法。
【請求項１１】
複数のトウを同時にレイアップするように前記エンドエフェクタに指示すること
を更に含む、請求項８に記載の方法。
【請求項１２】
前記ＮＣプログラムにおいて定義されるトウを選択するユーザ入力を受信したことに応じて、前記ＮＣプログラムの指示と相関させた各画像を表示すること
を更に含む、請求項８に記載の方法。
【請求項１３】
プロセッサによって実行されたときに、
数値制御（ＮＣ）プログラムに基づいて材料のトウをレイアップするように、ロボットのエンドエフェクタに指示すること（５０４）と、
前記エンドエフェクタによって前記トウがレイアップされるときに、前記トウの画像を取得すること（５０６）と、
前記エンドエフェクタによって前記トウがレイアップされるときに、測定装置から入力を受信すること（５０８）と、
閾値より長い平均期間だけ時間的に隔たりのある前記入力の連続的なパルス信号のセットを識別することによって、休止を検出することと、
前記検出された休止に基づいて前記画像と前記ＮＣプログラムの指示とを相関させるために、記憶されたデータを更新すること（５１６）と
を含む方法を実施するように動作可能である、プログラミングされた指示を具現化する、非一時的コンピュータ可読媒体。
【誤訳訂正２】
【訂正対象書類名】明細書
【訂正対象項目名】００２４
【訂正方法】変更
【訂正の内容】
【００２４】
ＮＣプログラムに従ってコースをレイアップした後に、ロボットコントローラ１２４は、ＮＣプログラムの更なる指示に基づいて、ロボット１００自体を再方位づけ及び／又は再位置づけするために、ロボット１００に指示しうる。一実施形態では、各指示は、ロボット１００の特定の方位及び／又は位置を示す座標を含む。ロボットコントローラ１２４は従って、ＮＣプログラムの指示に基づいてロボット１００を操作することによって、新たなコースをレイアップするプロセスを能動的に始める。
【手続補正書】
【提出日】令和3年4月5日(2021.4.5)
【手続補正１】
【補正対象書類名】特許請求の範囲
【補正対象項目名】全文
【補正方法】変更
【補正の内容】
【特許請求の範囲】
【請求項１】
ビデオシーケンスを符号化するビデオエンコーダの出力ビットレートを制御する方法であって、
前記ビデオエンコーダの出力に対して少なくとも１日の期間の長期間のビット配分を設定すること（Ｓ１）と、
前記長期間のビット配分に基づいて第１の許容可能なビットレートを決定すること（Ｓ２）と、
前記ビデオエンコーダの出力に対して瞬時ビット制約を決定すること（Ｓ３）と、
前記瞬時ビット制約に基づいて第２の許容可能なビットレートを決定すること（Ｓ４）と、
前記長期間のビット配分、前記第１の許容可能なビットレート及び前記第２の許容可能なビットレートに準拠するように、前記第１の許容可能なビットレートと前記第２の許容可能なビットレートとに基づいて出力ビットレートを制御すること（Ｓ５）と
を含む方法。
【請求項２】
前記第１の許容可能なビットレートを決定すること（Ｓ２）は、前記長期間のビット配分を前記期間によって割ることによって平均ビットレートを計算することを含む、請求項１に記載の方法。
【請求項３】
前記許容可能なビットレートに基づいて出力ビットレートを制御すること（Ｓ５）は、
第１の時間間隔の後に、第１の期間中に何ビットが出力されたかをチェックすることと、
前記第１の期間中の出力ビット数が前記第１の許容可能なビットレートよりも第１の限度だけ上回ることに応答して、前記長期間のビット配分に準拠して出力ビットレートが低下するように前記エンコーダの圧縮パラメータを増加させることと
を含む、請求項２に記載の方法。
【請求項４】
前記許容可能なビットレートに基づいて出力ビットレートを制御すること（Ｓ５）は、
第１の時間間隔の後に、第１の期間中に何ビットが出力されたかをチェックすることと、
前記第１の期間中の出力ビット数が前記第１の許容可能なビットレートよりも第２の限度だけ下回ることに応答して、前記長期間のビット配分内で画像品質を上げるために出力ビットレートが増加するように前記エンコーダの圧縮パラメータを低下させることと
を含む、請求項２に記載の方法。
【請求項５】
前記第１の許容可能なビットレートを決定すること（Ｓ２）は、以前に符号化されたビデオシーケンスの出力ビットレートの履歴の変化についての入力を受信することを含む、請求項１に記載の方法。
【請求項６】
前記以前に符号化されたビデオシーケンスは、出力ビットレートが制御される前記ビデオシーケンスと同じシーンを撮影したものである、請求項５に記載の方法。
【請求項７】
前記許容可能なビットレートに基づいて出力ビットレートを制御すること（Ｓ５）は、
第１の時間間隔の後に、第１の期間中に何ビットが出力されたかをチェックすることと、
前記第１の期間中の出力ビット数が履歴から予想されたビット数よりも第３の限度だけ上回ることに応答して、前記長期間のビット配分に準拠して出力ビットレートが低下するように前記エンコーダの圧縮パラメータを増加させることと
を含む、請求項５又は６に記載の方法。
【請求項８】
前記許容可能なビットレートに基づいて出力ビットレートを制御すること（Ｓ５）は、
第１の時間間隔の後に、第１の期間中に何ビットが出力されたかをチェックすることと、
前記第１の期間中の出力ビット数が前記履歴から予想されたビット数よりも第４の限度だけ下回ることに応答して、前記長期間のビット配分内で画像品質を上げるために出力ビットレートが増加するように前記エンコーダの圧縮パラメータを低下させることと
を含む、請求項５又は６に記載の方法。
【請求項９】
前記第２の許容可能なビットレートを決定すること（Ｓ４）は、符号化された前記ビデオシーケンスを送信するために前記エンコーダが接続されたネットワークの利用可能な帯域幅についての入力を受信することを含む、請求項１から８のいずれか一項に記載の方法。
【請求項１０】
前記第１の許容可能なビットレートと前記第２の許容可能なビットレートに基づいて出力ビットレートを制御すること（Ｓ５）は、出力ビットレートを前記第２の許容可能なビットレート以下に制限することを含む、請求項１から９のいずれか一項に記載の方法。
【請求項１１】
前記第１の許容可能なビットレートについての入力を受信することは、予想されるビットレートに影響を及ぼす事象についての入力を受信することを含む、請求項１から１０のいずれか一項に記載の方法。
【請求項１２】
前記第１の許容可能なビットレートについての入力を受信することは、ユーザ入力を受信することを含む、請求項１から１１のいずれか一項に記載の方法。
【請求項１３】
ビデオシーケンスを符号化するビデオエンコーダ（３４）の出力ビットレートを制御するためのビットレートコントローラ（３３；４５；５１）であって、
前記ビデオエンコーダの出力に対して少なくとも１日の期間に対する長期間のビット配分を設定するように配置された配分セッタ（５２）と、
前記ビデオエンコーダ（３４）の出力に対して瞬時ビット制約を決定するように配置されたビット制約決定器（５３）と、
前記長期間のビット配分に基づいて第１の許容可能なビットレートを決定し、前記瞬時ビット制約に基づいて第２の許容可能なビットレートを決定するように配置されたビットレート決定器（５４）と、
前記第１の許容可能なビットレートと前記第２の許容可能なビットレートとに基づいて出力ビットレートを計算するように配置されたビットレート計算器（５５）と、
計算された前記出力ビットレートを前記ビデオエンコーダ（３４）に出力するように配置された制御出力部（５６）と
を備える、ビットレートコントローラ（３３；４５；５１）。
【請求項１４】
演算装置によって実行されたときに請求項１から１２のいずれか一項に記載の方法を実行するように適合された命令を有する非一過性コンピュータ可読記憶媒体。
【請求項１５】
画像を撮影するように構成された画像センサと、
前記画像を符号化するように構成されたエンコーダと、
請求項１３に記載のビットレートコントローラを含むカメラ。
【請求項１６】
請求項１３に記載のビットレートコントローラを含むネットワークビデオレコーダ。